【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】
コンテンツ複製装置及び複製管理装置がネットワークを介して接続されることにより構築されるコンテンツ複製管理システムにおいて、
上記コンテンツ複製装置は、
コンテンツの記録された複製元記録媒体そのものを特徴付ける固有の媒体識別情報を取得する媒体識別情報取得手段と、
上記コンテンツ複製装置そのものを示す固有の装置識別情報を取得する装置識別情報取得手段と、
上記媒体識別情報及び上記装置識別情報をコンテンツ複製時の複製組合情報として上記複製管理装置へ送信する複製組合情報送信手段と、
上記複製管理装置にアクセスしたとき、上記複製組合情報に基づいて上記複製管理装置により生成された複製許可情報を当該複製管理装置から受信する受信手段と、
上記複製許可情報に応じて上記コンテンツの複製を制御する制御手段と
を具え、
上記複製管理装置は、
上記コンテンツ複製装置から受信した上記複製組合情報を予め登録して記憶する記憶手段と、
上記コンテンツ複製装置から上記アクセスされたときに受信した上記複製組合情報と上記記憶手段に予め登録された上記複製組合情報とを比較し、上記媒体識別情報及び上記装置識別情報の組み合わせが相互に一致したか否かを判断し、一致したときには上記複製を許可する上記複製許可情報を生成し、一致しないときには上記複製を許可しない上記複製許可情報を生成する複製許可情報生成手段と、
上記複製許可情報を上記コンテンツ複製装置へ送信する複製許可情報送信手段と
を具えることを特徴とするコンテンツ複製管理システム。
【請求項２】
上記媒体識別情報は、
上記複製元記録媒体における印刷面の印刷時のばらつきや、上記複製元記録媒体における記録面の信号のばらつき情報、若しくは記録面に記録されている信号のいずれか、またはこれらの組み合わせである
ことを特徴とする請求項１に記載のコンテンツ複製管理システム。
【請求項３】
上記制御手段は、
上記複製許可情報に応じて上記コンテンツの複製を制御すると共に、上記複製許可情報に応じて当該複製が許可されていないときには所定の警告画面を表示手段に表示する
ことを特徴とする請求項１に記載のコンテンツ複製管理システム。
【請求項４】
上記記憶手段は、
上記コンテンツ複製装置から受信した上記複製組合情報を予め登録して記憶する際、上記媒体識別情報を上記コンテンツのタイトルに応じて当該タイトル毎に分けて登録し、
上記複製許可情報生成手段は、
上記コンテンツ複製装置から上記アクセスされたときに受信した上記複製組合情報と上記記憶手段に予め登録された上記複製組合情報とを比較する際、上記タイトルに応じて比較対照の上記媒体識別情報を選別する
ことを特徴とする請求項１に記載のコンテンツ複製管理システム。
【請求項５】
上記制御手段は、
上記コンテンツの複製を実行する際、当該コンテンツに対して上記媒体識別情報及び上記装置識別情報を畳み込むことにより複製コンテンツを生成し、当該複製コンテンツを再生する際には、当該複製コンテンツから当該媒体識別情報及び当該装置識別情報を取り出して上記複製組合情報送信手段で上記複製管理装置へ送信し、当該媒体識別情報及び当該装置識別情報の組み合わせに基づいて上記複製管理装置により生成された上記複製許可情報を受信手段で受信し、当該複製許可情報に応じて上記複製コンテンツの再生を制御する
ことを特徴とする請求項１に記載のコンテンツ複製管理システム。
【請求項６】
上記制御手段は、
上記コンテンツの複製を実行する際、当該コンテンツに対して上記媒体識別情報及び上記装置識別情報を畳み込むことにより複製コンテンツを生成すると共に、別途当該媒体識別情報及び当該装置識別情報を上記記録再生装置に保存し、当該複製コンテンツの複製コンテンツを再生しなくても、当該媒体識別情報及び当該装置識別情報を取り出して上記複製組合情報送信手段で上記複製管理装置へ送信し、当該媒体識別情報及び当該装置識別情報の組み合わせに基づいて上記複製管理装置により生成された上記複製許可情報を受信手段で受信し、当該複製許可情報に応じて上記複製コンテンツが複製を許可されているコンテンツであるかどうかを確認する
ことを特徴とする請求項１に記載のコンテンツ複製管理システム。
【請求項７】
コンテンツの記録された複製元記録媒体そのものを特徴付ける固有の媒体識別情報及びコンテンツ複製装置そのものを示す固有の装置識別情報をコンテンツ複製時の複製組合情報として上記コンテンツ複製装置からネットワークを介して受信する複製組合情報受信手段と、
上記コンテンツ複製装置から受信した上記複製組合情報を予め登録して記憶する記憶手段と、
上記コンテンツ複製装置から上記アクセスされたときに受信した上記複製組合情報と上記記憶手段に予め登録された上記複製組合情報とを比較し、上記媒体識別情報及び上記装置識別情報の組み合わせが相互に一致したか否かを判断し、一致したときには上記複製を許可する上記複製許可情報を生成し、一致しないときには上記複製を許可しない上記複製許可情報を生成する複製許可情報生成手段と、
上記複製許可情報を上記コンテンツ複製装置へ送信する複製許可情報送信手段と
を具え、
上記複製許可情報に応じて上記コンテンツ複製装置における上記複製元記録媒体からの上記コンテンツの複製を当該複製記録媒体毎に管理する
ことを特徴とする複製管理装置。
【請求項８】
コンテンツの記録された複製元記録媒体そのものを特徴付ける固有の媒体識別情報及びコンテンツ複製装置そのものを示す固有の装置識別情報をコンテンツ複製時の複製組合情報として上記コンテンツ複製装置からネットワークを介して受信する複製組合情報受信ステップと、
上記コンテンツ複製装置から受信した上記複製組合情報を予め登録して記憶する記憶ステップと、
上記コンテンツ複製装置から上記アクセスされたときに受信した上記複製組合情報と上記記憶手段に予め登録された上記複製組合情報とを比較し、上記媒体識別情報及び上記装置識別情報の組み合わせが相互に一致したか否かを判断し、一致したときには上記複製を許可する上記複製許可情報を生成し、一致しないときには上記複製を許可しない上記複製許可情報を生成する複製許可情報生成ステップと、
上記複製許可情報を上記コンテンツ複製装置へ送信する複製許可情報送信ステップと
を具え、
上記複製許可情報に応じて上記コンテンツ複製装置における上記複製元記録媒体からの上記コンテンツの複製を当該複製記録媒体毎に管理する
ことを特徴とする複製管理方法。
【請求項９】
コンテンツの記録された複製元記録媒体そのものを特徴付ける固有の媒体識別情報を取得する媒体識別情報取得手段と、
上記コンテンツ複製装置そのものを示す固有の装置識別情報を取得する装置識別情報取得手段と、
上記媒体識別情報及び上記装置識別情報をコンテンツ複製時の複製組合情報としてネットワークを介して接続された複製管理装置へ送信する複製組合情報送信手段と、
上記複製組合情報が上記複製管理装置によって予め登録された後、改めて上記複製管理装置へアクセスしたときに送信した上記複製組合情報と上記予め登録された上記複製組合情報とが当該複製管理装置によって比較され、上記媒体識別情報及び上記装置識別情報の組み合わせが相互に一致したときには上記コンテンツの複製を許可し、一致しないときには上記複製を許可しないように生成された上記複製許可情報を上記複製管理装置から受信する受信手段と、
上記複製許可情報に応じて複製を制御する制御手段と
を具えることを特徴とするコンテンツ複製装置。
【請求項１０】
コンテンツの記録された複製元記録媒体そのものを特徴付ける固有の媒体識別情報を取得する媒体識別情報取得ステップと、
上記コンテンツ複製装置そのものを示す固有の装置識別情報を取得する装置識別情報取得ステップと、
上記媒体識別情報及び上記装置識別情報をコンテンツ複製時の複製組合情報としてネットワークを介して接続された複製管理装置へ送信する複製組合情報送信ステップと、
上記複製組合情報が上記複製管理装置によって予め登録された後、改めて上記複製管理装置へアクセスしたときに送信した上記複製組合情報と上記予め登録された上記複製組合情報とが当該複製管理装置によって比較され、上記媒体識別情報及び上記装置識別情報の組み合わせが相互に一致したときには上記コンテンツの複製を許可し、一致しないときには上記複製を許可しないように生成された上記複製許可情報を上記複製管理装置から受信する受信ステップと、
上記複製許可情報に応じて複製を制御する制御ステップと
を具えることを特徴とするコンテンツ複製方法。